(57)【要約】【課題】Ｅ−ＡＧＣＨ信号のＣＲＣ結果を誤判定することによりＳＧがＺｅｒｏ＿Ｇｒａｎｔ以外の値に更新されても、スケジューリング情報を報告させるとともに、ＵＰＨ試験を継続すること。【解決手段】試験機１００は、通信端末装置においてＳＧにＺｅｒｏ＿Ｇｒａｎｔを設定した場合に、通信端末装置より所定の報告周期で報告されるスケジューリング情報を受信し、通信端末装置においてＳＧにＺｅｒｏ＿Ｇｒａｎｔ以外の値を設定した場合に、通信端末装置よりスケジューリング情報を受信しないことを標準的に行うＵＰＨの試験手順を実行する。Ｔ＿ＳＩＧ周期生成部１１３は、通信端末装置においてＺｅｒｏ＿Ｇｒａｎｔ以外の値をＳＧに設定した場合に、通信端末装置にスケジューリング情報を報告させるための報告周期をＴ＿ＳＩＧに設定する。【選択図】図２
2012156949.tif 000002
【特許請求の範囲】
【請求項１】
通信相手においてＳＧ（Serving_Grant）に所定の状態を示す状態値を設定した場合に、前記通信相手より所定の報告周期で報告されるスケジューリング情報を受信し、前記通信相手において前記ＳＧに前記状態値以外の値を設定した場合に、前記通信相手より前記スケジューリング情報を受信しないことを標準的に行うＵＰＨ（UE Transmission Power Headroom）の試験手順を実行する試験機であって、
受信した前記スケジューリング情報に含まれるＵＰＨを取得するＵＰＨ取得手段と、
受信した制御チャネル信号の電力を測定する測定手段と、
前記測定手段により測定した前記電力からＵＰＨを推定する推定手段と、
前記ＵＰＨ取得手段により取得したＵＰＨと前記推定手段により推定したＵＰＨとを比較してＵＰＨの精度を確認する確認手段と、
前記通信相手において前記状態値以外の値を前記ＳＧに設定した場合に、前記スケジューリング情報を報告するように前記通信相手に指示する指示手段と、
を具備する試験機。
【請求項２】
前記指示手段は、前記スケジューリング情報を前記通信相手より報告させる報告周期を設定したパラメータを生成し、生成した前記パラメータを前記通信相手に送信することにより前記指示を行う請求項１記載の試験機。
【請求項３】
前記指示手段は、前記ＳＧの設定を前記状態値以外の値から前記状態値に所定の周期毎に変更させる変更コマンドを生成し、生成した前記変更コマンドを前記通信相手に送信することにより前記指示を行う請求項１記載の試験機。
【請求項４】
前記指示手段は、前記変更コマンドの生成に加えて、前記変更コマンドを含む試験コマンドを生成し、生成した前記試験コマンドを前記通信相手に送信することにより前記指示を行う請求項３記載の試験機。
【請求項５】
前記指示手段は、拡張絶対的許可チャネル信号を用いて前記変更コマンドを前記通信相手に送信することにより前記指示を行う請求項３記載の試験機。
【請求項６】
前記所定の周期は、前記スケジューリング情報の報告が無かったことを検出する所定の時間よりも短い時間である請求項３記載の試験機。
【請求項７】
請求項１記載の試験機との間で前記試験手順を実行する通信装置であって、
受信信号の誤り検出結果に応じて、前記ＳＧに前記状態値または前記状態値以外の値を設定する設定手段と、
前記制御チャネル信号の電力を算出する電力算出手段と、
前記電力算出手段により算出した前記電力よりＵＰＨを求めるＵＰＨ算出手段と、
前記設定手段により前記ＳＧに前記状態値以外の値を設定した場合において、前記指示手段による前記指示に従って、前記ＵＰＨ算出手段により算出したＵＰＨを含む前記スケジューリング情報を報告する報告手段と、
を具備する通信装置。
【請求項８】
通信相手においてＳＧ（Serving_Grant）に所定の状態を示す状態値を設定した場合に、前記通信相手より所定の報告周期で報告されるスケジューリング情報を受信し、前記通信相手において前記ＳＧに前記状態値以外の値を設定した場合に、前記通信相手より前記スケジューリング情報を受信しないことを標準的に行うＵＰＨ（UE Transmission Power Headroom）の試験手順を実行する試験機における試験方法であって、
受信した前記スケジューリング情報に含まれるＵＰＨを取得するステップと、
受信した制御チャネル信号の電力を測定するステップと、
前記測定した前記電力からＵＰＨを推定するステップと、
前記取得したＵＰＨと前記推定したＵＰＨとを比較してＵＰＨの精度を確認するステップと、
前記通信相手において前記状態値以外の値を前記ＳＧに設定した場合に、前記スケジューリング情報を報告するように前記通信相手に指示するステップと、
を具備する試験方法。
【発明の詳細な説明】
【技術分野】
【０００１】
本発明は、例えばＵＰＨ（UE Transmission Power Headroom）試験に用いられる試験機、通信装置及び試験方法に関する。
【背景技術】
【０００２】
非特許文献１において、通信端末装置は最大許容電力（Maximum allowed UL TX Power）と通信端末装置のパワークラス（Power Class）による最大電力とを比較して、小さい方の電力値Ｐｍａｘを選択することが規定されている。また、文献3GPP TS 25.215において、選択した電力値ＰｍａｘからＤＰＣＣＨ（個別制御チャネル：Dedicated Physical Control Channel）電力を減算してＵＰＨ（UE Transmission Power Headroom）を求めることが規定されている。また、非特許文献２において、ＵＰＨの測定精度が規定されている。
【０００３】
また、非特許文献３において、スケジューリング情報（SI：Scheduling Information）を用いてＵＰＨを報告することが規定されている。また、非特許文献３において、スケジューリング情報を報告するトリガとして、ＳＧ（Serving_Grant）がＺｅｒｏ＿Ｇｒａｎｔに等しい場合とＺｅｒｏ＿Ｇｒａｎｔに等しくない場合とに分けて規定されている。ここで、Ｚｅｒｏ＿Ｇｒａｎｔとは、ＳＧが採り得る一つの状態を示す状態値である。また、それぞれの場合において、スケジューリング情報を報告するか否か、及び報告する場合には、スケジューリング情報の報告周期を決定するパラメータであるＴ＿ＳＩＮＧ(Timer Scheduling Information - "Zero_Grant")とＴ＿ＳＩＧ(Timer Scheduling Information - different from "Zero_Grant")とが規定されている。ここで、Ｔ＿ＳＩＮＧは、ＳＧがＺｅｒｏ＿Ｇｒａｎｔに等しい場合のパラメータであり、Ｔ＿ＳＩＧは、ＳＧがＺｅｒｏ＿Ｇｒａｎｔに等しくない場合のパラメータである。また、非特許文献４において、非特許文献２で規定されているＵＰＨの測定精度を確認するＵＰＨ試験の試験手順では、Ｔ＿ＳＩＮＧを１０ｍｓｅｃに設定し、Ｔ＿ＳＩＧをスケジューリング情報を報告しない設定にすることが規定されている。また、非特許文献４では、ＵＰＨ試験開始時において、ＳＧをＺｅｒｏ＿Ｇｒａｎｔに設定した後、試験機の指示によりＳＧの設定を変更することはないことが規定されている。
【０００４】
次に、従来の試験機１及び通信端末装置２の動作について、図１Ａ及び図１Ｂを用いて説明する。図１Ａは、従来のＵＰＨ試験開始前における試験機１及び通信端末装置２の動作を示す図である。また、図１Ｂは、従来のＵＰＨ試験開始後における試験機１及び通信端末装置２の動作を示す図である。なお、図１Ａ及び図１Ｂにおいて、スケジューリング情報をＳＩと記載する。
【０００５】
図１Ａより、ＵＰＨ試験開始前において、試験機１は、スケジューリング情報を報告しない設定にしたＴ＿ＳＩＧを含んだＵＰＨ試験開始コマンドを通信端末装置２へ送信する（送信１）。このＵＰＨ試験開始コマンドは、ＳＧの初期情報を含む。
【０００６】
次に、通信端末装置２は、送信１により送信されたＵＰＨ試験開始コマンドを受信する。また、通信端末装置２は、受信したＵＰＨ試験開始コマンドより、ＳＧの初期情報に従ってＳＧを更新する。その結果、ＳＧはＺｅｒｏ＿Ｇｒａｎｔになる。また、通信端末装置２は、受信したＵＰＨ試験開始コマンドより、Ｔ＿ＳＩＧを取得する。その結果、Ｔ＿ＳＩＧはスケジューリング情報を報告しない設定になる（受信１）。
【０００７】
次に、図１Ｂより、ＵＰＨ試験開始後において、試験機１は、Ｅ−ＡＧＣＨ（拡張絶対的許可チャネル：Enhanced Absolute Grant Channel）信号を通信端末装置２へ送信しない（送信２）。
【０００８】
次に、通信端末装置２は、送信２に対してＥ−ＡＧＣＨ信号の復号を行う。この際、通信端末装置２は、Ｅ−ＡＧＣＨ信号の送信がないため、ＣＲＣ結果をＮＧと判定する。また、通信端末装置２は、Ｅ−ＡＧＣＨ信号のＣＲＣ結果がＮＧのため、ＳＧを更新しない。この結果、ＳＧはＺｅｒｏ＿Ｇｒａｎｔになる（受信２）。
【０００９】
次に、通信端末装置２は、ＳＧがＺｅｒｏ＿Ｇｒａｎｔに等しい場合のパラメータであるＴ＿ＳＩＮＧに従って、スケジューリング情報を報告するか否かを判定する。この際、通信端末装置２は、Ｔ＿ＳＩＮＧに報告周期が設定されているため、スケジューリング情報を報告する必要ありと判定し、スケジューリング情報を試験機１へ報告する（送信３）。
【００１０】
次に、試験機１は、送信３によりスケジューリング情報が報告されたことを検出し、スケジューリング情報の測定精度を確認する（受信３）。
【００１１】
次に、試験機１は、Ｅ−ＡＧＣＨ信号を通信端末装置２へ送信しない（送信４）。
【００１２】
次に、通信端末装置２は、送信４に対してＥ−ＡＧＣＨ信号の復号を行う。この際、通信端末装置２は、Ｅ−ＡＧＣＨ信号の送信がないにもかかわらず、誤ってＣＲＣ結果をＯＫと誤判定する。また、通信端末装置２は、Ｅ−ＡＧＣＨ信号のＣＲＣ結果がＯＫのため、ＳＧを更新する。この結果、ＳＧはＺｅｒｏ＿Ｇｒａｎｔ以外の値になる（受信４）。
【００１３】
次に、通信端末装置２は、ＳＧがＺｅｒｏ＿Ｇｒａｎｔに等しくない場合のパラメータであるＴ＿ＳＩＧに従って、スケジューリング情報を報告するか否かを判定する。この際、通信端末装置２は、Ｔ＿ＳＩＧがスケジューリング情報を報告しない設定であるため、スケジューリング情報を報告する必要なしと判定し、スケジューリング情報を試験機１へ報告しない（送信５）。
【００１４】
次に、試験機１は、送信５によりスケジューリング情報が報告されなかったことを検出する（受信５）。
【００１５】
次に、試験機１は、Ｅ−ＡＧＣＨ信号を通信端末装置２へ送信しない（送信６）。
【００１６】
次に、通信端末装置２は、送信６に対してＥ−ＡＧＣＨ信号の復号を行う。この際、通信端末装置２は、Ｅ−ＡＧＣＨ信号の送信がないため、ＣＲＣ結果をＮＧと判定する。また、通信端末装置２は、Ｅ−ＡＧＣＨ信号のＣＲＣ結果がＮＧのため、ＳＧを更新しない。この結果、ＳＧはＺｅｒｏ＿Ｇｒａｎｔ以外の値になる（受信６）。
【００１７】
次に、通信端末装置２は、ＳＧがＺｅｒｏ＿Ｇｒａｎｔに等しくない場合のパラメータであるＴ＿ＳＩＧに従って、スケジューリング情報を報告するか否かを判定する。この際、通信端末装置２は、Ｔ＿ＳＩＧがスケジューリング情報を報告しない設定であるため、スケジューリング情報を報告する必要なしと判定し、スケジューリング情報を試験機１へ報告しない（送信７）。
【００１８】
次に、試験機１は、送信７によりスケジューリング情報が報告されなかったことを検出する（受信７）。
【００１９】
次に、試験機１は、スケジューリング情報の報告があったか否かを、所定の時間において観測する。また、通信端末装置２は、ＳＧがＺｅｒｏ＿Ｇｒａｎｔに等しくない場合のパラメータであるＴ＿ＳＩＧに従って、スケジューリング情報を報告するか否かを判定する。この際、Ｔ＿ＳＩＧはスケジューリング情報を報告しない設定であるため、通信端末装置２は、スケジューリング情報を報告する必要なしと判定し、スケジューリング情報を試験機１へ報告しない（送信８）。
【００２０】
次に、試験機１は、送信８によりスケジューリング情報の報告がなかったことを検出する。また、試験機１は、所定の時間において、スケジューリング情報の報告がなかったことを検出し、ＵＰＨ試験を終了する（受信８）。
【先行技術文献】
【非特許文献】
【００２１】
【非特許文献１】3GPP TS 25.215 V6.4.0  5.1.14 UE Transmission power headroom
【非特許文献２】3GPP TS 25.133 V6.24.0  9.1.13 UE Transmission power headroom
【非特許文献３】3GPP TS 25.321 V6.18.0  9.2.5.3.2 Scheduling Information、11.8.1.6 Scheduling Information reporting
【非特許文献４】3GPP TS 34.121-1 V9.2.0  8.7.9 UE Transmission Power Headroom
【発明の概要】
【発明が解決しようとする課題】
【００２２】
しかしながら、従来の標準的な試験手順においては、通信端末装置２がＥ−ＡＧＣＨ信号のＣＲＣ結果を誤判定した場合、ＳＧがＺｅｒｏ＿Ｇｒａｎｔ以外の値に更新される。この結果、ＳＧがＺｅｒｏ＿Ｇｒａｎｔに等しくない場合にはスケジューリング情報を報告しない設定であるため、スケジューリング情報が報告されず、ＵＰＨ試験が終了してしまうという問題がある。特に、Ｅ−ＡＧＣＨ信号のＣＲＣのビット数は１６ビットのため、２の１６乗分の１の確率でＣＲＣ結果がＯＫになってしまうという問題がある。
【００２３】
本発明の目的は、Ｅ−ＡＧＣＨ信号のＣＲＣ結果を誤判定することによりＳＧが所定の状態を示す状態値以外の値に更新されても、スケジューリング情報を報告させることができるとともに、ＵＰＨ試験を継続することができる試験機、通信装置及び試験方法を提供することである。
【課題を解決するための手段】
【００２４】
本発明の試験機は、通信相手においてＳＧ（Serving_Grant）に所定の状態を示す状態値を設定した場合に、前記通信相手より所定の報告周期で報告されるスケジューリング情報を受信し、前記通信相手において前記ＳＧに前記状態値以外の値を設定した場合に、前記通信相手より前記スケジューリング情報を受信しないことを標準的に行うＵＰＨ（UE Transmission Power Headroom）の試験手順を実行する試験機であって、受信した前記スケジューリング情報に含まれるＵＰＨを取得するＵＰＨ取得手段と、受信した制御チャネル信号の電力を測定する測定手段と、前記測定手段により測定した前記電力からＵＰＨを推定する推定手段と、前記ＵＰＨ取得手段により取得したＵＰＨと前記推定手段により推定したＵＰＨとを比較してＵＰＨの精度を確認する確認手段と、前記通信相手において前記状態値以外の値を前記ＳＧに設定した場合に、前記スケジューリング情報を報告するように前記通信相手に指示する指示手段と、を具備する構成を採る。
【００２５】
本発明の通信装置は、上記の試験機との間で前記試験手順を実行する通信装置であって、受信信号の誤り検出結果に応じて、前記ＳＧに前記状態値または前記状態値以外の値を設定する設定手段と、前記制御チャネル信号の電力を算出する電力算出手段と、前記電力算出手段により算出した前記電力よりＵＰＨを求めるＵＰＨ算出手段と、前記設定手段により前記ＳＧに前記状態値以外の値を設定した場合において、前記指示手段による前記指示に従って、前記ＵＰＨ算出手段により算出したＵＰＨを含む前記スケジューリング情報を報告する報告手段と、を具備する構成を採る。
【００２６】
本発明の試験方法は、通信相手においてＳＧ（Serving_Grant）に所定の状態を示す状態値を設定した場合に、前記通信相手より所定の報告周期で報告されるスケジューリング情報を受信し、前記通信相手において前記ＳＧに前記状態値以外の値を設定した場合に、前記通信相手より前記スケジューリング情報を受信しないことを標準的に行うＵＰＨ（UE Transmission Power Headroom）の試験手順を実行する試験機における試験方法であって、受信した前記スケジューリング情報に含まれるＵＰＨを取得するステップと、受信した制御チャネル信号の電力を測定するステップと、前記測定した前記電力からＵＰＨを推定するステップと、前記取得したＵＰＨと前記推定したＵＰＨとを比較してＵＰＨの精度を確認するステップと、前記通信相手において前記状態値以外の値を前記ＳＧに設定した場合に、前記スケジューリング情報を報告するように前記通信相手に指示するステップと、を具備するようにした。
【発明の効果】
【００２７】
本発明によれば、Ｅ−ＡＧＣＨ信号のＣＲＣ結果を誤判定することによりＳＧが所定の状態を示す状態値以外の値に更新されても、スケジューリング情報を報告させることができるとともに、ＵＰＨ試験を継続することができる。
【図面の簡単な説明】
【００２８】
【図１Ａ】従来のＵＰＨ試験開始前における試験機及び通信端末装置の動作を示す図
【図１Ｂ】従来のＵＰＨ試験開始後における試験機及び通信端末装置の動作を示す図
【図２】本発明の実施の形態１に係る試験機の構成を示すブロック図
【図３】本発明の実施の形態１に係る通信端末装置の構成を示すブロック図
【図４Ａ】本発明の実施の形態１に係るＵＰＨ試験開始前における試験機及び通信端末装置の動作を示す図
【図４Ｂ】本発明の実施の形態１に係るＵＰＨ試験開始後における試験機及び通信端末装置の動作を示す図
【図５】本発明の実施の形態２に係る試験機の構成を示すブロック図
【図６】本発明の実施の形態２に係る通信端末装置の構成を示すブロック図
【図７】本発明の実施の形態２に係るＵＰＨ試験開始後における試験機及び通信端末装置の動作を示す図
【図８】本発明の実施の形態３に係る試験機の構成を示すブロック図
【図９】本発明の実施の形態３に係る通信端末装置の構成を示すブロック図
【図１０】本発明の実施の形態３に係るＵＰＨ試験開始後における試験機及び通信端末装置の動作を示す図
【発明を実施するための形態】
【００２９】
以下、本発明の実施の形態について、図面を参照して詳細に説明する。なお、本発明において、ＵＰＨ試験は、試験機と通信端末装置とにより実行する場合に限らず、試験機と通信端末装置以外の任意の通信装置とによって実行することもできる。以下の実施の形態では、試験機と通信端末装置との間でＵＰＨ試験を実行する場合を例に説明する。
【００３０】
（実施の形態１）
図２は、本発明の実施の形態１に係る試験機１００の構成を示すブロック図である。
【００３１】
試験機１００は、アンテナ１０１と、送受信共用機１０２と、受信処理部１０３と、ＳＩ検出部１０４と、ＵＰＨ取得部１０５と、電力測定部１０６と、ＵＰＨ推定部１０７と、ＵＰＨ精度判定部１０８と、ＵＰＨ試験結果保持部１０９と、ＵＰＨ試験継続判定部１１０と、ＵＰＨ試験判定部１１１と、ＴＰＣコマンド作成部１１２と、Ｔ＿ＳＩＧ周期生成部１１３と、ＵＰＨ試験コマンド生成部１１４と、送信処理部１１５とから主に構成される。
【００３２】
アンテナ１０１は、ＲＦ信号を受信して送受信共用機１０２へ出力する。また、アンテナ１０１は、送受信共用機１０２から入力したＲＦ信号を送信する。
【００３３】
送受信共用機１０２は、アンテナ１０１から入力したＲＦ信号の受信処理部１０３への出力と、送信処理部１１５から入力したＲＦ信号のアンテナ１０１への出力とを切り替える。
【００３４】
受信処理部１０３は、送受信共用機１０２から入力したＲＦ信号をベースバンド信号に変換してＳＩ検出部１０４及び電力測定部１０６へ出力する。
【００３５】
ＳＩ検出部１０４は、受信処理部１０３から入力したベースバンド信号のうちのＥ−ＤＰＤＣＨ信号を復号して、スケジューリング情報が含まれているか否かを検出する。また、ＳＩ検出部１０４は、スケジューリング情報が含まれている場合に、検出したスケジューリング情報をＵＰＨ取得部１０５へ出力するとともに、スケジューリング情報を検出した旨をＵＰＨ試験継続判定部１１０へ通知する。
【００３６】
ＵＰＨ取得部１０５は、ＳＩ検出部１０４からスケジューリング情報が入力した場合に、スケジューリング情報に含まれるＵＰＨを取得する。また、ＵＰＨ取得部１０５は、取得したＵＰＨをＵＰＨ精度判定部１０８へ出力する。
【００３７】
電力測定部１０６は、受信処理部１０３から入力したベースバンド信号を用いて、ＤＰＣＣＨの電力と後述する通信端末装置の送信電力とを測定し、測定結果を用いて平均ＤＰＣＣＨ電力と通信端末装置の平均送信電力とを算出する。電力測定部１０６は、例えばＤＰＣＣＨ電力を１００ｍｓｅｃの区間で平均して平均ＤＰＣＣＨ電力を算出する。また、電力測定部１０６は、例えば通信端末装置の送信電力を１００ｍｓｅｃの区間で平均して通信端末装置の平均送信電力を算出する。また、電力測定部１０６は、平均ＤＰＣＣＨ電力の算出結果をＵＰＨ推定部１０７へ出力し、通信端末装置の平均送信電力をＵＰＨ精度判定部１０８へ出力する。
【００３８】
ＵＰＨ推定部１０７は、最大許容電力（Maximum allowed UL TX Power）と通信端末装置のパワークラス（Power Class）による最大電力とを比較して、小さい方の電力値Ｐｍａｘを選択する。また、ＵＰＨ推定部１０７は、選択した電力値Ｐｍａｘから、電力測定部１０６により測定した平均ＤＰＣＣＨ電力を減算してＵＰＨを推定する。また、ＵＰＨ推定部１０７は、ＵＰＨの推定結果をＵＰＨ精度判定部１０８へ出力する。
【００３９】
ＵＰＨ精度判定部１０８は、ＵＰＨ推定部１０７から入力したＵＰＨの推定結果と、ＵＰＨ取得部１０５から入力したＵＰＨとの差分を算出する。また、ＵＰＨ精度判定部１０８は、算出した差分と、電力測定部１０６から入力した通信端末装置の平均送信電力とに基づいて、算出した差分がＵＰＨの所定の精度を満たしているか否かを判定する。具体的には、ＵＰＨ精度判定部１０８は、送信電力毎に設定されたＵＰＨの精度をあらかじめ記憶しており、電力測定部１０６から入力した通信端末装置の平均送信電力に対応するＵＰＨの精度を選択し、算出した差分が選択したＵＰＨの精度を満たしているか否かを判定する。また、ＵＰＨ精度判定部１０８は、ＵＰＨの精度を満たしている判定結果が得られた場合は良い結果であると判定し、ＵＰＨの精度を満たしていない判定結果が得られた場合は悪い結果であると判定する。また、ＵＰＨ精度判定部１０８は、良い結果または悪い結果の判定結果、及びその際のＵＰＨをＵＰＨ試験結果保持部１０９へ出力する。
【００４０】
ＵＰＨ試験結果保持部１０９は、ＵＰＨ精度判定部１０８から入力した判定結果及びその際のＵＰＨを所定時間保持する。また、ＵＰＨ試験結果保持部１０９は、前記の所定時間に達した場合、ＴＰＣコマンド作成部１１２に対して送信電力を１ｄＢ上げる指示を通知する。また、ＵＰＨ試験結果保持部１０９は、ＵＰＨ試験結果として、保持している判定結果をＵＰＨ試験判定部１１１に報告するとともに、保持しているＵＰＨをＵＰＨ試験継続判定部１１０へ出力する。
【００４１】
ＵＰＨ試験継続判定部１１０は、スケジューリング情報を検出した旨の通知がＳＩ検出部１０４から所定時間通知されない場合、ＵＰＨ試験を終了する。また、ＵＰＨ試験継続判定部１１０は、ＵＰＨ試験結果保持部１０９から入力したＵＰＨの報告値が、徐々に下がって所定回数（例えば８回）前回より低くない値が連続した場合に、ＵＰＨ試験を終了する。また、ＵＰＨ試験継続判定部１１０は、ＵＰＨ試験を終了した際に、ＵＰＨ試験の終了とそのときのＵＰＨの報告値で最も小さい値をＵＰＨ試験判定部１１１へ通知する。
【００４２】
ＵＰＨ試験判定部１１１は、ＵＰＨ試験継続判定部１１０から入力したＵＰＨ試験の終了を検出したときに、ＵＰＨ試験継続判定部１１０から入力したＵＰＨの報告値で最も小さい値が所定の値以上か判定する。また、ＵＰＨ試験判定部１１１は、ＵＰＨの報告値で最も小さい値が所定の値以上であれば悪い結果であると判定し、ＵＰＨの報告値で最も小さい値が所定の値未満であれば良い結果であると判定する。また、ＵＰＨ試験結果保持部１０９から報告された判定結果が良い結果または悪い結果であるかを判定する。また、ＵＰＨ試験判定部１１１は、ＵＰＨ試験の終了を検出したときに判定した判定結果と、ＵＰＨ試験結果保持部１０９から報告された判定結果から、良い結果が９０％以上あればＵＰＨ試験を成功であると判定する。また、ＵＰＨ試験判定部１１１は、良い結果が９０％未満であればＵＰＨ試験を失敗であると判定する。
【００４３】
ＴＰＣコマンド作成部１１２は、ＵＰＨ試験結果保持部１０９から送信電力を１ｄＢ上げる指示が通知された場合に、送信電力を１ｄＢ上げるＴＰＣコマンドを作成する。また、ＴＰＣコマンド作成部１１２は、作成したＴＰＣコマンドを送信処理部１１５へ出力する。
【００４４】
Ｔ＿ＳＩＧ周期生成部１１３は、ＵＰＨ試験開始前において、ＳＧがＺｅｒｏ＿Ｇｒａｎｔに等しくない場合のパラメータであるＴ＿ＳＩＧに報告周期を設定し、報告周期を設定したＴ＿ＳＩＧをＵＰＨ試験コマンド生成部１１４へ出力する。
【００４５】
ＵＰＨ試験コマンド生成部１１４は、ＵＰＨ試験開始前において、Ｔ＿ＳＩＧ周期生成部１１３から入力したＴ＿ＳＩＧを含んだＵＰＨ試験開始コマンドを生成して送信処理部１１５へ出力する。このＵＰＨ試験開始コマンドは、ＳＧの初期情報を含む。
【００４６】
送信処理部１１５は、ＵＰＨ試験開始前において、ＵＰＨ試験コマンド生成部１１４から入力したＵＰＨ試験開始コマンドを符号化するとともに、ＲＦ信号に変換して送受信共用機１０２へ出力する。また、送信処理部１１５は、ＵＰＨ試験開始後において、ＴＰＣコマンド生成部１１２から入力したＴＰＣコマンドを符号化するとともに、ＲＦ信号に変換して送受信共用機１０２へ出力する。
【００４７】
次に、通信端末装置２００の構成について、図３を用いて説明する。図３は、通信端末装置２００の構成を示すブロック図である。
【００４８】
通信端末装置２００は、アンテナ２０１と、送受信共用機２０２と、受信処理部２０３と、ＵＰＨ試験コマンド取得部２０４と、Ｅ−ＡＧＣＨ復号部２０５と、ＳＧ更新部２０６と、Ｚｅｒｏ＿Ｇｒａｎｔ判定部２０７と、ＳＩ報告判定部２０８と、ＤＰＣＣＨ電力算出部２０９と、ＵＰＨ算出部２１０と、ＳＩ作成部２１１と、伝送レート選択部２１２と、Ｅ−ＤＰＤＣＨ作成部２１３と、送信処理部２１４とから主に構成される。
【００４９】
アンテナ２０１は、ＲＦ信号を受信して送受信共用機２０２へ出力する。また、アンテナ２０１は、送受信共用機２０２から入力したＲＦ信号を送信する。
【００５０】
送受信共用機２０２は、アンテナ２０１から入力したＲＦ信号の受信処理部２０３への出力と、送信処理部２１４から入力したＲＦ信号のアンテナ２０１への出力とを切り替える。
【００５１】
受信処理部２０３は、送受信共用機２０２から入力したＲＦ信号をベースバンド信号に変換してＵＰＨ試験コマンド取得部２０４、Ｅ−ＡＧＣＨ復号部２０５及びＤＰＣＣＨ電力算出部２０９へ出力する。
【００５２】
ＵＰＨ試験コマンド取得部２０４は、ＵＰＨ試験開始前において、受信処理部２０３から入力したベースバンド信号を復号してＵＰＨ試験開始コマンドを取得する。また、ＵＰＨ試験コマンド取得部２０４は、取得したＵＰＨ試験開始コマンドに含まれる、ＳＧの初期情報をＳＧ更新部２０６へ出力する。また、ＵＰＨ試験コマンド取得部２０４は、取得したＵＰＨ試験開始コマンドに含まれるＴ＿ＳＩＧに設定された報告周期をＳＩ報告判定部２０８へ通知する。
【００５３】
Ｅ−ＡＧＣＨ復号部２０５は、受信処理部２０３から入力したベースバンド信号のうちのＥ−ＡＧＣＨ信号を復号し、復号結果をＳＧ更新部２０６へ出力する。
【００５４】
ＳＧ更新部２０６は、ＵＰＨ試験開始前において、ＵＰＨ試験コマンド取得部２０４から入力したＳＧの初期情報に従ってＳＧを更新する。その結果、ＳＧはＺｅｒｏ＿Ｇｒａｎｔになる。また、ＳＧ更新部２０６は、ＵＰＨ試験開始後において、Ｅ−ＡＧＣＨ復号部２０５から入力したＥ−ＡＧＣＨの復号結果からＳＧの更新を行う。具体的には、ＳＧ更新部２０６は、復号結果であるＥ−ＡＧＣＨ信号のＣＲＣ結果がＮＧの場合、ＳＧの更新を行わない。また、ＳＧ更新部２０６は、復号結果であるＥ−ＡＧＣＨ信号のＣＲＣ結果がＯＫの場合、ＳＧの更新を行う。また、ＳＧ更新部２０６は、ＳＧの更新結果をＺｅｒｏ＿Ｇｒａｎｔ判定部２０７及び伝送レート選択部２１２へ通知する。なお、ＳＧ更新部２０６は、ＵＰＨ試験開始後、復号結果であるＥ−ＡＧＣＨ信号のＣＲＣ結果が毎回ＮＧの場合、ＳＧの更新を行わない。この結果、ＳＧは、ＵＰＨ試験コマンド取得部２０４から通知されたＳＧの初期情報より、Ｚｅｒｏ＿Ｇｒａｎｔのままである。
【００５５】
Ｚｅｒｏ＿Ｇｒａｎｔ判定部２０７は、ＳＧ更新部２０６から通知されたＳＧの更新結果より、ＳＧがＺｅｒｏ＿Ｇｒａｎｔに等しいか否かを判定する。また、Ｚｅｒｏ＿Ｇｒａｎｔ判定部２０７は、判定結果をＳＩ報告判定部２０８へ出力する。
【００５６】
ＳＩ報告判定部２０８は、Ｚｅｒｏ＿Ｇｒａｎｔ判定部２０７から入力した判定結果においてＳＧがＺｅｒｏ＿Ｇｒａｎｔに等しい場合、ＳＧがＺｅｒｏ＿Ｇｒａｎｔに等しい場合のパラメータであるＴ＿ＳＩＮＧに従って、スケジューリング情報を報告するか否かを判定する。ここで、Ｔ＿ＳＩＮＧの設定処理は、あらかじめ行っておく。
【００５７】
また、ＳＩ報告判定部２０８は、Ｚｅｒｏ＿Ｇｒａｎｔ判定部２０７から入力した判定結果においてＳＧがＺｅｒｏ＿Ｇｒａｎｔに等しくない場合、ＳＧがＺｅｒｏ＿Ｇｒａｎｔに等しくない場合のパラメータである、ＵＰＨ試験コマンド取得部２０４から通知されたＴ＿ＳＩＧに従って、スケジューリング情報を報告するか否かを判定する。例えば、ＳＩ報告判定部２０８は、ＳＧがＺｅｒｏ＿Ｇｒａｎｔに等しくない場合で、かつＴ＿ＳＩＧに報告周期として１０ｍｓｅｃが設定されている場合、１０ｍｓｅｃの報告周期でスケジューリング情報を報告すると判定する。なお、ＳＩ報告判定部２０８は、ＳＧがＺｅｒｏ＿Ｇｒａｎｔに等しくない場合で、かつＴ＿ＳＩＧがスケジューリング情報を報告しない設定である場合には、スケジューリング情報を報告しないと判定する。
【００５８】
また、ＳＩ報告判定部２０８は、スケジューリング情報を報告すると判定した場合、スケジューリング情報を作成する指示をＳＩ作成部２１１へ通知するとともに、スケジューリング情報を報告する指示を伝送レート選択部２１２へ通知する。
【００５９】
ＤＰＣＣＨ電力算出部２０９は、受信処理部２０３から入力したベースバンド信号を復号してＴＰＣコマンドを取得し、取得したＴＰＣコマンドに従ってＤＰＣＣＨ電力を算出する。また、ＤＰＣＣＨ電力算出部２０９は、ＤＰＣＣＨ電力の算出結果をＵＰＨ算出部２１０へ出力する。
【００６０】
ＵＰＨ算出部２１０は、最大許容電力（Maximum allowed UL TX Power）と通信端末装置２００のパワークラス（Power Class）による最大電力とを比較して、小さい方の電力値Ｐｍａｘを選択する。また、ＵＰＨ算出部２１０は、選択した電力値Ｐｍａｘから、ＤＰＣＣＨ電力算出部２０９から入力したＤＰＣＣＨ電力の算出結果を減算してＵＰＨを算出する。また、ＵＰＨ算出部２１０は、算出したＵＰＨを平均して報告用のＵＰＨを算出する。ＵＰＨ算出部２１０は、例えば、算出したＵＰＨを１００ｍｓｅｃの区間で平均して報告用のＵＰＨを算出する。また、ＵＰＨ算出部２１０は、算出した報告用のＵＰＨをＳＩ作成部２１１へ出力する。
【００６１】
ＳＩ作成部２１１は、ＳＩ報告判定部２０８からスケジューリング情報を作成する指示を受けた場合、ＵＰＨ算出部２１０から入力した報告用のＵＰＨを含んだスケジューリング情報を作成する。また、ＳＩ作成部２１１は、作成したスケジューリング情報をＥ−ＤＰＤＣＨ作成部２１３へ出力する。
【００６２】
伝送レート選択部２１２は、ＳＧ更新部２０６から入力したＳＧの更新結果を参照して、更新されたＳＧから送信データの伝送レートを選択する。また、伝送レート選択部２１２は、ＳＩ報告判定部２０８からスケジューリング情報を報告する指示を受けた場合、送信データと共にスケジューリング情報の送信が可能な伝送レートを選択する。また、伝送レート選択部２１２は、選択した伝送レートをＥ−ＤＰＤＣＨ作成部２１３へ出力する。
【００６３】
Ｅ−ＤＰＤＣＨ作成部２１３は、送信データを用いて、伝送レート選択部２１２から入力した伝送レートのＥ−ＤＰＤＣＨ信号を作成する。また、Ｅ−ＤＰＤＣＨ作成部２１３は、スケジューリング情報を報告する場合には、送信データとＳＩ作成部２１１から入力したスケジューリング情報とを用いて、伝送レート選択部２１２から入力した伝送レートのＥ−ＤＰＤＣＨ信号を作成する。また、Ｅ−ＤＰＤＣＨ作成部２１３は、作成したＥ−ＤＰＤＣＨ信号を送信処理部２１４へ出力する。
【００６４】
送信処理部２１４は、Ｅ−ＤＰＤＣＨ作成部２１３から入力したＥ−ＤＰＤＣＨ信号を符号化するとともに、ＲＦの信号に変換して送受信共用機２０２へ出力する。
【００６５】
次に、試験機１００及び通信端末装置２００の動作について、図４Ａ及び図４Ｂを用いて説明する。図４Ａは、ＵＰＨ試験開始前における試験機１００及び通信端末装置２００の動作を示す図である。また、図４Ｂは、ＵＰＨ試験開始後における試験機１００及び通信端末装置２００の動作を示す図である。なお、図４Ａ及び図４Ｂにおいて、スケジューリング情報をＳＩと記載する。
【００６６】
図４Ａより、ＵＰＨ試験開始前において、試験機１００は、報告周期を設定したＴ＿ＳＩＧを含んだＵＰＨ試験開始コマンドを通信端末装置２００へ送信する（送信１１）。このＵＰＨ試験開始コマンドは、ＳＧの初期情報を含む。
【００６７】
次に、通信端末装置２００は、送信１１により送信されたＵＰＨ試験開始コマンドを受信する。また、通信端末装置２００は、受信したＵＰＨ試験開始コマンドより、ＳＧの初期情報に従ってＳＧを更新する。その結果、ＳＧはＺｅｒｏ＿Ｇｒａｎｔになる。また、通信端末装置２００は、受信したＵＰＨ試験開始コマンドより、Ｔ＿ＳＩＧを取得する。その結果、Ｔ＿ＳＩＧに報告周期が設定される（受信１１）。
【００６８】
次に、図４Ｂより、ＵＰＨ試験開始後において、試験機１００は、Ｅ−ＡＧＣＨ信号を通信端末装置２００へ送信しない（送信１２）。
【００６９】
次に、通信端末装置２００は、送信１２に対してＥ−ＡＧＣＨ信号の復号を行う。この際、通信端末装置２００は、Ｅ−ＡＧＣＨ信号の送信がないため、ＣＲＣ結果をＮＧと判定する。また、通信端末装置２００は、Ｅ−ＡＧＣＨ信号のＣＲＣ結果がＮＧのため、ＳＧを更新しない。この結果、ＳＧはＺｅｒｏ＿Ｇｒａｎｔになる（受信１２）。
【００７０】
次に、通信端末装置２００は、ＳＧがＺｅｒｏ＿Ｇｒａｎｔに等しい場合のパラメータであるＴ＿ＳＩＮＧに従って、スケジューリング情報を報告するか否かを判定する。この際、通信端末装置２００は、Ｔ＿ＳＩＮＧに報告周期が設定されているため、スケジューリング情報を報告する必要ありと判定し、スケジューリング情報を試験機１００へ報告する（送信１３）。
【００７１】
次に、試験機１００は、送信１３によりスケジューリング情報が報告されたことを検出し、スケジューリング情報の測定精度を確認する（受信１３）。
【００７２】
次に、試験機１００は、Ｅ−ＡＧＣＨ信号を通信端末装置２００へ送信しない（送信１４）。
【００７３】
次に、通信端末装置２００は、送信１４に対してＥ−ＡＧＣＨ信号の復号を行う。この際、通信端末装置２００は、Ｅ−ＡＧＣＨ信号の送信がないにもかかわらず、誤ってＣＲＣ結果をＯＫと誤判定する。また、通信端末装置２００は、Ｅ−ＡＧＣＨ信号のＣＲＣ結果がＯＫのため、ＳＧを更新する。この結果、ＳＧはＺｅｒｏ＿Ｇｒａｎｔ以外の値になる（受信１４）。
【００７４】
次に、通信端末装置２００は、ＳＧがＺｅｒｏ＿Ｇｒａｎｔに等しくない場合のパラメータであるＴ＿ＳＩＧに従って、スケジューリング情報を報告するか否かを判定する。この際、通信端末装置２００は、Ｔ＿ＳＩＧに報告周期が設定されているため、スケジューリング情報を報告する必要ありと判定し、スケジューリング情報を試験機１００へ報告する（送信１５）。
【００７５】
次に、試験機１００は、送信１５によりスケジューリング情報が報告されたことを検出し、スケジューリング情報の測定精度を確認する（受信１５）。
【００７６】
ＵＰＨ試験では、通信端末装置２００におけるＥ−ＡＧＣＨ信号のＣＲＣ結果の誤判定を完全には防ぐことは不可能である。従って、本実施の形態では、Ｅ−ＡＧＣＨ信号のＣＲＣ結果の誤判定によるＵＰＨ試験の終了を防ぐ方法の一つとして、ＳＧがＺｅｒｏ＿Ｇｒａｎｔに等しくない場合のパラメータであるＴ＿ＳＩＧに報告周期を設定するものである。
【００７７】
このように、本実施の形態によれば、Ｔ＿ＳＩＧに報告周期を設定するため、Ｅ−ＡＧＣＨ信号のＣＲＣ結果を誤判定することによりＳＧがＺｅｒｏ＿Ｇｒａｎｔ以外の値に更新されても、スケジューリング情報を報告させることができるとともに、ＵＰＨ試験を継続することができる。
【００７８】
なお、本実施の形態において、Ｔ＿ＳＩＧをＵＰＨ試験開始前に送信したが、本発明はこれに限らず、Ｔ＿ＳＩＧをＵＰＨ試験開始後に送信してもよい。
【００７９】
（実施の形態２）
図５は、本発明の実施の形態２に係る試験機５００の構成を示すブロック図である。
【００８０】
図５に示す試験機５００は、図２に示す実施の形態１に係る試験機１００に対して、Ｔ＿ＳＩＧ周期生成部１１３を除き、Ｚｅｒｏ＿Ｇｒａｎｔ変更コマンド生成部５０１を追加し、ＵＰＨ試験コマンド生成部１１４の代わりにＵＰＨ試験コマンド生成部５０２を有する。なお、図５において、図２と同一構成である部分には同一の符号を付してその説明を省略する。
【００８１】
試験機５００は、アンテナ１０１と、送受信共用機１０２と、受信処理部１０３と、ＳＩ検出部１０４と、ＵＰＨ取得部１０５と、電力測定部１０６と、ＵＰＨ推定部１０７と、ＵＰＨ精度判定部１０８と、ＵＰＨ試験結果保持部１０９と、ＵＰＨ試験継続判定部１１０と、ＵＰＨ試験判定部１１１と、ＴＰＣコマンド作成部１１２と、送信処理部１１５と、Ｚｅｒｏ＿Ｇｒａｎｔ変更コマンド生成部５０１と、ＵＰＨ試験コマンド生成部５０２とから主に構成される。
【００８２】
Ｚｅｒｏ＿Ｇｒａｎｔ変更コマンド生成部５０１は、ＵＰＨ試験開始後において、所定の周期毎にＳＧをＺｅｒｏ＿Ｇｒａｎｔに変更するＺｅｒｏ＿Ｇｒａｎｔ変更コマンドを生成し、生成したＺｅｒｏ＿Ｇｒａｎｔ変更コマンドをＵＰＨ試験コマンド生成部５０２へ出力する。
【００８３】
ＵＰＨ試験コマンド生成部５０２は、ＵＰＨ試験開始前において、ＵＰＨ試験開始コマンドを生成して送信処理部１１５へ出力する。このＵＰＨ試験開始コマンドは、ＳＧの初期情報を含む。また、ＵＰＨ試験コマンド生成部５０２は、ＵＰＨ試験開始後において、Ｚｅｒｏ＿Ｇｒａｎｔ変更コマンド生成部５０１から入力したＺｅｒｏ＿Ｇｒａｎｔ変更コマンドを含んだＵＰＨ試験コマンドを生成して送信処理部１１５へ出力する。
【００８４】
送信処理部１１５は、ＵＰＨ試験コマンド生成部５０２から入力したＵＰＨ試験開始コマンドまたはＵＰＨ試験コマンドを符号化するとともに、ＲＦ信号に変換して送受信共用機１０２へ出力する。また、送信処理部１１５は、ＴＰＣコマンド生成部１１２から入力したＴＰＣコマンドを符号化するとともに、ＲＦ信号に変換して送受信共用機１０２へ出力する。
【００８５】
次に、通信端末装置６００の構成について、図６を用いて説明する。図６は、通信端末装置６００の構成を示すブロック図である。
【００８６】
図６に示す通信端末装置６００は、図３に示す実施の形態１に係る通信端末装置２００に対して、ＵＰＨ試験コマンド取得部２０４の代わりにＵＰＨ試験コマンド取得部６０１を有し、ＳＧ更新部２０６の代わりにＳＧ更新部６０２を有し、ＳＩ報告判定部２０８の代わりにＳＩ報告判定部６０３を有する。なお、図６において、図３と同一構成である部分には同一の符号を付してその説明を省略する。
【００８７】
通信端末装置６００は、アンテナ２０１と、送受信共用機２０２と、受信処理部２０３と、Ｅ−ＡＧＣＨ復号部２０５と、Ｚｅｒｏ＿Ｇｒａｎｔ判定部２０７と、ＤＰＣＣＨ電力算出部２０９と、ＵＰＨ算出部２１０と、ＳＩ作成部２１１と、伝送レート選択部２１２と、Ｅ−ＤＰＤＣＨ作成部２１３と、送信処理部２１４と、ＵＰＨ試験コマンド取得部６０１と、ＳＧ更新部６０２と、ＳＩ報告判定部６０３とから主に構成される。
【００８８】
受信処理部２０３は、送受信共用機２０２から入力したＲＦ信号をベースバンド信号に変換してＵＰＨ試験コマンド取得部６０１、Ｅ−ＡＧＣＨ復号部２０５及びＤＰＣＣＨ電力算出部２０９へ出力する。
【００８９】
ＵＰＨ試験コマンド取得部６０１は、ＵＰＨ試験開始前において、受信処理部２０３から入力したベースバンド信号を復号してＵＰＨ試験開始コマンドを取得する。また、ＵＰＨ試験コマンド取得部６０１は、取得したＵＰＨ試験開始コマンドに含まれる、ＳＧの初期情報をＳＧ更新部６０２へ出力する。また、ＵＰＨ試験コマンド取得部６０１は、ＵＰＨ試験開始後において、受信処理部２０３から入力したベースバンド信号を復号してＵＰＨ試験コマンドを取得する。また、ＵＰＨ試験コマンド取得部６０１は、取得したＵＰＨ試験コマンドに含まれる、Ｚｅｒｏ＿Ｇｒａｎｔ変更コマンドをＳＧ更新部６０２へ出力する。
【００９０】
Ｅ−ＡＧＣＨ復号部２０５は、受信処理部２０３から入力したベースバンド信号のうちのＥ−ＡＧＣＨ信号を復号し、復号結果をＳＧ更新部６０２へ出力する。
【００９１】
ＳＧ更新部６０２は、ＵＰＨ試験開始前において、ＵＰＨ試験コマンド取得部６０１から入力したＳＧの初期情報に従ってＳＧを更新する。その結果、ＳＧはＺｅｒｏ＿Ｇｒａｎｔになる。
【００９２】
また、ＳＧ更新部６０２は、ＵＰＨ試験開始後において、Ｅ−ＡＧＣＨ復号部２０５から入力したＥ−ＡＧＣＨの復号結果からＳＧの更新を行う。具体的には、ＳＧ更新部６０２は、復号結果であるＥ−ＡＧＣＨ信号のＣＲＣ結果がＮＧの場合、ＳＧの更新を行わない。また、ＳＧ更新部６０２は、復号結果であるＥ−ＡＧＣＨ信号のＣＲＣ結果がＯＫの場合、ＳＧの更新を行う。また、ＳＧ更新部６０２は、復号結果であるＥ−ＡＧＣＨ信号のＣＲＣ結果がＯＫの場合でもＮＧの場合でも、ＵＰＨ試験コマンド取得部６０１から入力したＺｅｒｏ＿Ｇｒａｎｔ変更コマンドに従って、所定の周期毎にＳＧをＺｅｒｏ＿Ｇｒａｎｔに変更する。また、ＳＧ更新部６０２は、ＳＧの更新結果または変更結果をＺｅｒｏ＿Ｇｒａｎｔ判定部２０７及び伝送レート選択部２１２へ通知する。
【００９３】
Ｚｅｒｏ＿Ｇｒａｎｔ判定部２０７は、ＳＧ更新部６０２から通知されたＳＧの更新結果または変更結果より、ＳＧがＺｅｒｏ＿Ｇｒａｎｔに等しいか否かを判定する。また、Ｚｅｒｏ＿Ｇｒａｎｔ判定部２０７は、判定結果をＳＩ報告判定部６０３へ出力する。
【００９４】
ＳＩ報告判定部６０３は、Ｚｅｒｏ＿Ｇｒａｎｔ判定部２０７から入力した判定結果においてＳＧがＺｅｒｏ＿Ｇｒａｎｔに等しい場合、ＳＧがＺｅｒｏ＿Ｇｒａｎｔに等しい場合のパラメータであるＴ＿ＳＩＮＧに従って、スケジューリング情報を報告するか否かを判定する。また、ＳＩ報告判定部６０３は、Ｚｅｒｏ＿Ｇｒａｎｔ判定部２０７から入力した判定結果においてＳＧがＺｅｒｏ＿Ｇｒａｎｔに等しくない場合、ＳＧがＺｅｒｏ＿Ｇｒａｎｔに等しくない場合のパラメータであるＴ＿ＳＩＧに従って、スケジューリング情報を報告するか否かを判定する。また、ＳＩ報告判定部６０３は、スケジューリング情報を報告すると判定した場合、スケジューリング情報を作成する指示をＳＩ作成部２１１へ通知するとともに、スケジューリング情報を報告する指示を伝送レート選択部２１２へ通知する。
【００９５】
ＳＩ作成部２１１は、ＳＩ報告判定部６０３からスケジューリング情報を作成する指示を受けた場合、ＵＰＨ算出部２１０から入力した報告用のＵＰＨを含んだスケジューリング情報を作成する。また、ＳＩ作成部２１１は、作成したスケジューリング情報をＥ−ＤＰＤＣＨ作成部２１３へ出力する。
【００９６】
伝送レート選択部２１２は、ＳＧ更新部６０２から入力したＳＧの更新結果または変更結果を参照して、更新または変更されたＳＧから送信データの伝送レートを選択する。また、伝送レート選択部２１２は、ＳＩ報告判定部６０３からスケジューリング情報を報告する指示を受けた場合、送信データと共にスケジューリング情報の送信が可能な伝送レートを選択する。また、伝送レート選択部２１２は、選択した伝送レートをＥ−ＤＰＤＣＨ作成部２１３へ出力する。
【００９７】
次に、試験機５００及び通信端末装置６００の動作について、図７を用いて説明する。図７は、ＵＰＨ試験開始後における試験機５００及び通信端末装置６００の動作を示す図である。なお、本実施の形態において、ＵＰＨ試験開始前における試験機５００及び通信端末装置６００の動作は、送信するコマンドが異なる以外は図４Ａと同一であるので、その説明を省略する。また、図７において、スケジューリング情報をＳＩと記載する。
【００９８】
図７より、ＵＰＨ試験開始後において、試験機５００は、Ｅ−ＡＧＣＨ信号を通信端末装置６００へ送信しない（送信２１）。
【００９９】
次に、通信端末装置６００は、送信２１に対してＥ−ＡＧＣＨ信号の復号を行う。この際、通信端末装置６００は、Ｅ−ＡＧＣＨ信号の送信がないため、ＣＲＣ結果をＮＧと判定する。また、通信端末装置６００は、Ｅ−ＡＧＣＨ信号のＣＲＣ結果がＮＧのため、ＳＧを更新しない。この結果、ＳＧはＺｅｒｏ＿Ｇｒａｎｔになる（受信２１）。
【０１００】
次に、通信端末装置６００は、ＳＧがＺｅｒｏ＿Ｇｒａｎｔに等しい場合のパラメータであるＴ＿ＳＩＮＧに従って、スケジューリング情報を報告するか否かを判定する。この際、通信端末装置６００は、Ｔ＿ＳＩＮＧに報告周期が設定されているため、スケジューリング情報を報告する必要ありと判定し、スケジューリング情報を試験機５００へ報告する（送信２２）。
【０１０１】
次に、試験機５００は、送信２２によりスケジューリング情報が報告されたことを検出し、スケジューリング情報の測定精度を確認する（受信２２）。
【０１０２】
次に、試験機５００は、Ｅ−ＡＧＣＨ信号を通信端末装置６００へ送信しない（送信２３）。
【０１０３】
次に、通信端末装置６００は、送信２３に対してＥ−ＡＧＣＨ信号の復号を行う。この際、通信端末装置６００は、Ｅ−ＡＧＣＨ信号の送信がないにもかかわらず、誤ってＣＲＣ結果をＯＫと誤判定する。また、通信端末装置６００は、Ｅ−ＡＧＣＨ信号のＣＲＣ結果がＯＫのため、ＳＧを更新する。この結果、ＳＧはＺｅｒｏ＿Ｇｒａｎｔ以外の値になる（受信２３）。
【０１０４】
次に、通信端末装置６００は、ＳＧがＺｅｒｏ＿Ｇｒａｎｔに等しくない場合のパラメータであるＴ＿ＳＩＧに従って、スケジューリング情報を報告するか否かを判定する。この際、通信端末装置６００は、Ｔ＿ＳＩＧがスケジューリング情報を報告しない設定であるため、スケジューリング情報を報告する必要なしと判定し、スケジューリング情報を試験機５００へ報告しない（送信２４）。
【０１０５】
次に、試験機５００は、送信２４によりスケジューリング情報が報告されなかったことを検出する（受信２４）。
【０１０６】
次に、試験機５００は、所定の周期後において、ＳＧをＺｅｒｏ＿Ｇｒａｎｔに変更するＺｅｒｏ＿Ｇｒａｎｔ変更コマンドを含んだＵＰＨ試験コマンドを通信端末装置６００へ送信する（送信２５）。
【０１０７】
次に、通信端末装置６００は、送信２５により送信されたＵＰＨ試験コマンドを受信する。また、通信端末装置６００は、受信したＵＰＨ試験コマンドに含まれるＺｅｒｏ＿Ｇｒａｎｔ変更コマンドに従って、ＳＧをＺｅｒｏ＿Ｇｒａｎｔに変更する（受信２５）。
【０１０８】
次に、通信端末装置６００は、ＳＧがＺｅｒｏ＿Ｇｒａｎｔに等しい場合のパラメータであるＴ＿ＳＩＮＧに従って、スケジューリング情報を報告するか否かを判定する。この際、通信端末装置６００は、Ｔ＿ＳＩＮＧに報告周期が設定されているため、スケジューリング情報を報告する必要ありと判定し、スケジューリング情報を試験機５００へ報告する（送信２６）。
【０１０９】
次に、試験機５００は、送信２６によりスケジューリング情報が報告されたことを検出し、スケジューリング情報の測定精度を確認する（受信２６）。
【０１１０】
ここで、試験機５００が通信端末装置６００に対してＺｅｒｏ＿Ｇｒａｎｔ変更コマンドを含んだＵＰＨ試験コマンドを送信する所定の周期は、試験機５００がスケジューリング情報の報告がなかったことを検出する所定の時間より短くする。
【０１１１】
ＵＰＨ試験では、通信端末装置６００におけるＥ−ＡＧＣＨ信号のＣＲＣ結果の誤判定を完全には防ぐことは不可能である。従って、本実施の形態では、Ｅ−ＡＧＣＨ信号のＣＲＣ結果の誤判定によるＵＰＨ試験の終了を防ぐ方法の一つとして、所定の周期毎にＺｅｒｏ＿Ｇｒａｎｔ変更コマンドによりＳＧをＺｅｒｏ＿Ｇｒａｎｔに変更させるものである。
【０１１２】
このように、本実施の形態では、Ｅ−ＡＧＣＨ信号のＣＲＣ結果を誤判定することによりＳＧがＺｅｒｏ＿Ｇｒａｎｔ以外の値に更新されても、所定の周期毎にＺｅｒｏ＿Ｇｒａｎｔ変更コマンドによりＳＧがＺｅｒｏ＿Ｇｒａｎｔに変更される。これにより、本実施の形態によれば、Ｅ−ＡＧＣＨ信号のＣＲＣ結果を誤判定することによりＳＧがＺｅｒｏ＿Ｇｒａｎｔ以外の値に更新されても、スケジューリング情報を報告させることができるとともに、ＵＰＨ試験を継続することができる。
【０１１３】
（実施の形態３）
図８は、本発明の実施の形態３に係る試験機８００の構成を示すブロック図である。
【０１１４】
図８に示す試験機８００は、図２に示す実施の形態１に係る試験機１００に対して、Ｔ＿ＳＩＧ周期生成部１１３を除き、Ｚｅｒｏ＿Ｇｒａｎｔ変更コマンド生成部８０２及びＥ−ＡＧＣＨ作成部８０３を追加し、ＵＰＨ試験コマンド生成部１１４の代わりにＵＰＨ試験コマンド生成部８０１を有し、送信処理部１１５の代わりに送信処理部８０４を有する。なお、図８において、図２と同一構成である部分には同一の符号を付してその説明を省略する。
【０１１５】
試験機８００は、アンテナ１０１と、送受信共用機１０２と、受信処理部１０３と、ＳＩ検出部１０４と、ＵＰＨ取得部１０５と、電力測定部１０６と、ＵＰＨ推定部１０７と、ＵＰＨ精度判定部１０８と、ＵＰＨ試験結果保持部１０９と、ＵＰＨ試験継続判定部１１０と、ＵＰＨ試験判定部１１１と、ＴＰＣコマンド作成部１１２と、ＵＰＨ試験コマンド生成部８０１と、Ｚｅｒｏ＿Ｇｒａｎｔ変更コマンド生成部８０２と、Ｅ−ＡＧＣＨ作成部８０３と、送信処理部８０４とから主に構成される。
【０１１６】
ＵＰＨ試験コマンド生成部８０１は、ＵＰＨ試験開始前において、ＵＰＨ試験開始コマンドを生成して送信処理部８０４へ出力する。このＵＰＨ試験開始コマンドは、ＳＧの初期情報を含む。
【０１１７】
Ｚｅｒｏ＿Ｇｒａｎｔ変更コマンド生成部８０２は、ＵＰＨ試験開始後において、所定の周期毎にＳＧをＺｅｒｏ＿Ｇｒａｎｔに変更するＺｅｒｏ＿Ｇｒａｎｔ変更コマンドを生成し、生成したＺｅｒｏ＿Ｇｒａｎｔ変更コマンドをＥ−ＡＧＣＨ作成部８０３へ出力する。
【０１１８】
Ｅ−ＡＧＣＨ作成部８０３は、ＵＰＨ試験開始後において、Ｚｅｒｏ＿Ｇｒａｎｔ変更コマンド生成部８０２から入力したＺｅｒｏ＿Ｇｒａｎｔ変更コマンドを含んだＥ−ＡＧＣＨ信号を作成し、作成したＥ−ＡＧＣＨ信号を送信処理部８０４へ出力する。
【０１１９】
送信処理部８０４は、ＵＰＨ試験開始前において、ＵＰＨ試験コマンド生成部８０１から入力したＵＰＨ試験開始コマンドを符号化するとともに、ＲＦ信号に変換して送受信共用機１０２へ出力する。また、送信処理部８０４は、ＵＰＨ試験開始後において、ＴＰＣコマンド生成部１１２から入力したＴＰＣコマンドを符号化するとともに、ＲＦ信号に変換して送受信共用機１０２へ出力する。また、送信処理部８０４は、Ｅ−ＡＧＣＨ作成部８０３から入力したＥ−ＡＧＣＨ信号を符号化するとともに、ＲＦ信号に変換して送受信共用機１０２へ出力する。
【０１２０】
次に、通信端末装置９００の構成について、図９を用いて説明する。図９は、通信端末装置９００の構成を示すブロック図である。
【０１２１】
図９に示す通信端末装置９００は、図３に示す実施の形態１に係る通信端末装置２００に対して、ＳＧ更新部２０６の代わりにＳＧ更新部９０１を有し、ＳＩ報告判定部２０８の代わりにＳＩ報告判定部９０２を有する。なお、図９において、図３と同一構成である部分には同一の符号を付してその説明を省略する。
【０１２２】
通信端末装置９００は、アンテナ２０１と、送受信共用機２０２と、受信処理部２０３と、ＵＰＨ試験コマンド取得部２０４と、Ｅ−ＡＧＣＨ復号部２０５と、Ｚｅｒｏ＿Ｇｒａｎｔ判定部２０７と、ＤＰＣＣＨ電力算出部２０９と、ＵＰＨ算出部２１０と、ＳＩ作成部２１１と、伝送レート選択部２１２と、Ｅ−ＤＰＤＣＨ作成部２１３と、送信処理部２１４と、ＳＧ更新部９０１と、ＳＩ報告判定部９０２とから主に構成される。
【０１２３】
ＵＰＨ試験コマンド取得部２０４は、ＵＰＨ試験開始前において、受信処理部２０３から入力したベースバンド信号を復号してＵＰＨ試験開始コマンドを取得する。また、ＵＰＨ試験コマンド取得部２０４は、取得したＵＰＨ試験開始コマンドに含まれる、ＳＧの初期情報をＳＧ更新部９０１へ出力する。
【０１２４】
Ｅ−ＡＧＣＨ復号部２０５は、ＵＰＨ試験開始後において、受信処理部２０３から入力したベースバンド信号のうちのＥ−ＡＧＣＨ信号を復号し、復号結果をＳＧ更新部９０１へ出力する。
【０１２５】
ＳＧ更新部９０１は、ＵＰＨ試験開始前において、ＵＰＨ試験コマンド取得部２０４から入力したＳＧの初期情報に従ってＳＧを更新する。その結果、ＳＧはＺｅｒｏ＿Ｇｒａｎｔになる。
【０１２６】
また、ＳＧ更新部９０１は、ＵＰＨ試験開始後において、Ｅ−ＡＧＣＨ復号部２０５から入力したＥ−ＡＧＣＨの復号結果からＳＧの更新を行う。具体的には、ＳＧ更新部９０１は、復号結果であるＥ−ＡＧＣＨ信号のＣＲＣ結果がＮＧの場合、ＳＧの更新を行わない。また、ＳＧ更新部９０１は、復号結果であるＥ−ＡＧＣＨ信号のＣＲＣ結果がＯＫの場合、ＳＧの更新を行う。また、ＳＧ更新部９０１は、所定の周期毎に、Ｚｅｒｏ＿Ｇｒａｎｔ変更コマンドを含む復号結果がＥ−ＡＧＣＨ復号部２０５から入力した際に、復号結果であるＥ−ＡＧＣＨ信号のＣＲＣ結果がＯＫの場合は、ＳＧをＺｅｒｏ＿Ｇｒａｎｔに変更する。また、ＳＧ更新部９０１は、ＳＧの更新結果または変更結果をＺｅｒｏ＿Ｇｒａｎｔ判定部２０７及び伝送レート選択部２１２へ通知する。
【０１２７】
Ｚｅｒｏ＿Ｇｒａｎｔ判定部２０７は、ＳＧ更新部９０１から通知されたＳＧの更新結果または変更結果より、ＳＧがＺｅｒｏ＿Ｇｒａｎｔに等しいか否かを判定する。また、Ｚｅｒｏ＿Ｇｒａｎｔ判定部２０７は、判定結果をＳＩ報告判定部９０２へ出力する。
【０１２８】
ＳＩ報告判定部９０２は、Ｚｅｒｏ＿Ｇｒａｎｔ判定部２０７から入力した判定結果においてＳＧがＺｅｒｏ＿Ｇｒａｎｔに等しい場合、ＳＧがＺｅｒｏ＿Ｇｒａｎｔに等しい場合のパラメータであるＴ＿ＳＩＮＧに従って、スケジューリング情報を報告するか否かを判定する。また、ＳＩ報告判定部９０２は、Ｚｅｒｏ＿Ｇｒａｎｔ判定部２０７から入力した判定結果においてＳＧがＺｅｒｏ＿Ｇｒａｎｔに等しくない場合、ＳＧがＺｅｒｏ＿Ｇｒａｎｔに等しくない場合のパラメータであるＴ＿ＳＩＧに従って、スケジューリング情報を報告するか否かを判定する。また、ＳＩ報告判定部９０２は、スケジューリング情報を報告すると判定した場合、スケジューリング情報を作成する指示をＳＩ作成部２１１へ通知するとともに、スケジューリング情報を報告する指示を伝送レート選択部２１２へ通知する。
【０１２９】
ＳＩ作成部２１１は、ＳＩ報告判定部９０２からスケジューリング情報を作成する指示を受けた場合、ＵＰＨ算出部２１０から入力した報告用のＵＰＨを含んだスケジューリング情報を作成する。また、ＳＩ作成部２１１は、作成したスケジューリング情報をＥ−ＤＰＤＣＨ作成部２１３へ出力する。
【０１３０】
伝送レート選択部２１２は、ＳＧ更新部９０１から入力したＳＧの更新結果または変更結果を参照して、更新または変更されたＳＧから送信データの伝送レートを選択する。また、伝送レート選択部２１２は、ＳＩ報告判定部９０２からスケジューリング情報を報告する指示を受けた場合、送信データと共にスケジューリング情報の送信が可能な伝送レートを選択する。また、伝送レート選択部２１２は、選択した伝送レートをＥ−ＤＰＤＣＨ作成部２１３へ出力する。
【０１３１】
次に、試験機８００及び通信端末装置９００の動作について、図１０を用いて説明する。図１０は、ＵＰＨ試験開始後における試験機８００及び通信端末装置９００の動作を示す図である。なお、本実施の形態において、ＵＰＨ試験開始前における試験機８００及び通信端末装置９００の動作は、送信するコマンドが異なる以外は図４Ａと同一であるので、その説明を省略する。また、図１０において、スケジューリング情報をＳＩと記載する。
【０１３２】
図１０より、ＵＰＨ試験開始後において、試験機８００は、Ｅ−ＡＧＣＨ信号を通信端末装置９００へ送信しない（送信３１）。
【０１３３】
次に、通信端末装置９００は、送信３１に対してＥ−ＡＧＣＨ信号の復号を行う。この際、通信端末装置９００は、Ｅ−ＡＧＣＨ信号の送信がないため、ＣＲＣ結果をＮＧと判定する。また、通信端末装置９００は、Ｅ−ＡＧＣＨ信号のＣＲＣ結果がＮＧのため、ＳＧを更新しない。この結果、ＳＧはＺｅｒｏ＿Ｇｒａｎｔになる（受信３１）。
【０１３４】
次に、通信端末装置９００は、ＳＧがＺｅｒｏ＿Ｇｒａｎｔに等しい場合のパラメータであるＴ＿ＳＩＮＧに従って、スケジューリング情報を報告するか否かを判定する。この際、通信端末装置９００は、Ｔ＿ＳＩＮＧに報告周期が設定されているため、スケジューリング情報を報告する必要ありと判定し、スケジューリング情報を試験機８００へ報告する（送信３２）。
【０１３５】
次に、試験機８００は、送信３２によりスケジューリング情報が報告されたことを検出し、スケジューリング情報の測定精度を確認する（受信３２）。
【０１３６】
次に、試験機８００は、Ｅ−ＡＧＣＨ信号を通信端末装置９００へ送信しない（送信３３）。
【０１３７】
次に、通信端末装置９００は、送信３３に対してＥ−ＡＧＣＨ信号の復号を行う。この際、通信端末装置９００は、Ｅ−ＡＧＣＨ信号の送信がないにもかかわらず、誤ってＣＲＣ結果をＯＫと誤判定する。また、通信端末装置９００は、Ｅ−ＡＧＣＨ信号のＣＲＣ結果がＯＫのため、ＳＧを更新する。この結果、ＳＧはＺｅｒｏ＿Ｇｒａｎｔ以外の値になる（受信３３）。
【０１３８】
次に、通信端末装置９００は、ＳＧがＺｅｒｏ＿Ｇｒａｎｔに等しくない場合のパラメータであるＴ＿ＳＩＧに従って、スケジューリング情報を報告するか否かを判定する。この際、通信端末装置９００は、Ｔ＿ＳＩＧがスケジューリング情報を報告しない設定であるため、スケジューリング情報を報告する必要なしと判定し、スケジューリング情報を試験機８００へ報告しない（送信３４）。
【０１３９】
次に、試験機８００は、送信３４によりスケジューリング情報が報告されなかったことを検出する（受信３４）。
【０１４０】
次に、試験機８００は、所定の周期後において、ＳＧをＺｅｒｏ＿Ｇｒａｎｔに変更するＺｅｒｏ＿Ｇｒａｎｔ変更コマンドを含んだＥ−ＡＧＣＨ信号を通信端末装置９００へ送信する（送信３５）。
【０１４１】
次に、通信端末装置９００は、送信３５により送信されたＥ−ＡＧＣＨ信号を受信する。また、通信端末装置９００は、受信したＥ−ＡＧＣＨ信号に含まれるＺｅｒｏ＿Ｇｒａｎｔ変更コマンドに従って、ＳＧをＺｅｒｏ＿Ｇｒａｎｔに変更する（受信３５）。
【０１４２】
次に、通信端末装置９００は、ＳＧがＺｅｒｏ＿Ｇｒａｎｔに等しい場合のパラメータであるＴ＿ＳＩＮＧに従って、スケジューリング情報を報告するか否かを判定する。この際、通信端末装置９００は、Ｔ＿ＳＩＮＧに報告周期が設定されているため、スケジューリング情報を報告する必要ありと判定し、スケジューリング情報を試験機８００へ報告する（送信３６）。
【０１４３】
次に、試験機８００は、送信３６によりスケジューリング情報が報告されたことを検出し、スケジューリング情報の測定精度を確認する（受信３６）。
【０１４４】
ここで、試験機８００が通信端末装置９００に対してＺｅｒｏ＿Ｇｒａｎｔ変更コマンドを含んだＥ−ＡＧＣＨ信号を送信する所定の周期は、試験機８００がスケジューリング情報の報告がなかったことを検出する所定の時間より短くする。
【０１４５】
ＵＰＨ試験では、通信端末装置９００におけるＥ−ＡＧＣＨ信号のＣＲＣ結果の誤判定を完全には防ぐことは不可能である。従って、本実施の形態では、Ｅ−ＡＧＣＨ信号のＣＲＣ結果の誤判定によるＵＰＨ試験の終了を防ぐ方法の一つとして、所定の周期毎にＥ−ＡＧＣＨ信号に含まれるＺｅｒｏ＿Ｇｒａｎｔ変更コマンドによりＳＧをＺｅｒｏ＿Ｇｒａｎｔに変更させるものである。
【０１４６】
このように、本実施の形態では、Ｅ−ＡＧＣＨ信号のＣＲＣ結果を誤判定することによりＳＧがＺｅｒｏ＿Ｇｒａｎｔ以外の値に更新されても、所定の周期毎にＥ−ＡＧＣＨ信号に含まれるＺｅｒｏ＿Ｇｒａｎｔ変更コマンドによりＳＧがＺｅｒｏ＿Ｇｒａｎｔに変更される。これにより、本実施の形態によれば、Ｅ−ＡＧＣＨ信号のＣＲＣ結果を誤判定することによりＳＧがＺｅｒｏ＿Ｇｒａｎｔ以外の値に更新されても、スケジューリング情報を報告させることができるとともに、ＵＰＨ試験を継続することができる。
【産業上の利用可能性】
【０１４７】
本発明は、例えばＵＰＨ試験に用いられる試験機、通信装置及び試験方法に好適である。
【符号の説明】
【０１４８】
１００  試験機
１０１  アンテナ
１０２  送受信共用機
１０３  受信処理部
１０４  ＳＩ検出部
１０５  ＵＰＨ取得部
１０６  電力測定部
１０７  ＵＰＨ推定部
１０８  ＵＰＨ精度判定部
１０９  ＵＰＨ試験結果保持部
１１０  ＵＰＨ試験継続判定部
１１１  ＵＰＨ試験判定部
１１２  ＴＰＣコマンド作成部
１１３  Ｔ＿ＳＩＧ周期生成部
１１４  ＵＰＨ試験コマンド生成部
１１５  送信処理部
【図１Ａ】
2012156949.tif 000003
【図１Ｂ】
2012156949.tif 000004
【図２】
2012156949.tif 000005
【図３】
2012156949.tif 000006
【図４Ａ】
2012156949.tif 000007
【図４Ｂ】
2012156949.tif 000008
【図５】
2012156949.tif 000009
【図６】
2012156949.tif 000010
【図７】
2012156949.tif 000011
【図８】
2012156949.tif 000012
【図９】
2012156949.tif 000013
【図１０】
2012156949.tif 000014